(57)【特許請求の範囲】
【請求項１】
遠隔操作により屈曲する湾曲部が先端部分に設けられた内視鏡の処置具挿通路に挿通されるチューブ部材の先端を、上記処置具挿通路の出口から突出させて用いられる内視鏡用チューブ型処置具であって、
上記処置具挿通路の出口から突出する上記チューブ部材の先端近傍部分に付いた曲がり癖を矯正する金属製の矯正ワイヤが上記チューブ部材内に配置されて、上記湾曲部内に位置する部分の上記矯正ワイヤの断面形状が、上記湾曲部の曲がり方向によって上記矯正ワイヤの向きが規制されるＤ形の断面形状に形成され、上記矯正ワイヤに予め曲がり癖が付けられていることを特徴とする内視鏡用チューブ型処置具。
【請求項２】
上記矯正ワイヤが超弾性合金線製である請求項１記載の内視鏡用チューブ型処置具。
【請求項３】
上記矯正ワイヤが上記チューブ部材の基端側から上記チューブ部材内に挿脱自在である請求項１又は２記載の内視鏡用チューブ型処置具。
【請求項４】
上記チューブ部材内に、上記矯正ワイヤを挿通させるための独立した通路が形成されている請求項１、２又は３記載の内視鏡用チューブ型処置具。
【請求項５】
上記矯正ワイヤが上記チューブ部材の先端近傍部分に埋設されている請求項１又は２記載の内視鏡用チューブ型処置具。
【請求項６】
上記チューブ部材がカテーテルである請求項１、２、３、４又は５記載の内視鏡用チューブ型処置具。
【発明の詳細な説明】
【０００１】
【発明の属する技術分野】
この発明は、先端を内視鏡の処置具挿通路の出口から突出させて用いられる内視鏡用チューブ型処置具に関する。
【０００２】
【従来の技術】
内視鏡用チューブ型処置具は、一般に、四フッ化エチレン樹脂又はポリエチレン樹脂等からなるチューブ部材の基端に口金が取り付けられて構成されており、内視鏡の処置具挿通路に挿通されて、チューブ部材の先端を処置具挿通路の出口から突出させて使用される。
【０００３】
【発明が解決しようとする課題】
そのような内視鏡用チューブ型処置具は、小さな曲率半径で曲がりくねっている部位のある内視鏡の処置具挿通路に挿脱して使用されるので、何回か使用しているうちに不規則で立体的な曲がり癖がついてくる。
【０００４】
すると、チューブ型処置具の先端部分が内視鏡の処置具挿通路の出口から所定の方向に突出しなくなるので、目的部位への誘導が非常に困難になったり、場合によっては内視鏡の観察視野から外れてしまうことさえある。
【０００５】
そこで本発明は、内視鏡の処置具挿通路の出口から常に所定の方向に突出させることができる内視鏡用チューブ型処置具を提供することを目的とする。
【０００６】
【課題を解決するための手段】
上記の目的を達成するため、本発明の内視鏡用チューブ型処置具は、内視鏡の処置具挿通路に挿通されるチューブ部材の先端を処置具挿通路の出口から突出させて用いられる内視鏡用チューブ型処置具において、処置具挿通路の出口から突出するチューブ部材の先端近傍部分に付いた曲がり癖を矯正する金属製の矯正ワイヤをチューブ部材内に配置したものである。
【０００７】
なお、矯正ワイヤが超弾性合金線製であってもよく、矯正ワイヤがチューブ部材の基端側からチューブ部材内に挿脱自在であってもよい。
また、チューブ部材内に、矯正ワイヤを挿通させるための独立した通路が形成されていてもよく、矯正ワイヤがチューブ部材の先端近傍部分に埋設されていてもよい。また、矯正ワイヤに予め所望の曲がり癖がつけられていてもよい。
【０００８】
なお、チューブ部材がカテーテルであってもよく、或いは、矯正ワイヤを超弾性合金線により形成した場合には、チューブ部材の先端側部分に配置された可動部材を操作するための操作ワイヤがチューブ部材内に挿通配置された処置具の操作ワイヤを矯正ワイヤと兼用してもよい。
【０００９】
【発明の実施の形態】
図面を参照して本発明の実施例を説明する。
図２は、本発明の実施例のチューブ型処置具２０が、内視鏡１０の処置具挿通チャンネル１５に挿通された状態を示している。
【００１０】
内視鏡１０は、挿入部可撓管１１の先端部分に、操作部１４からの遠隔操作によって任意に屈曲する湾曲部１２が連結され、観察窓等が配置された先端部本体１３が湾曲部１２の先端に連結されている。１６は、操作部１４の上半部に配置された湾曲操作ノブである。
【００１１】
処置具が挿脱される処置具挿通チャンネル１５は、挿入部可撓管１１内から湾曲部１２内にわたって挿通配置されており、処置具挿通チャンネル１５の入口１５ｂは操作部１４の下端部に突出して開口し、出口１５ａは先端部本体１３に開口している。
【００１２】
図１は、処置具挿通チャンネル１５に挿通されたチューブ型処置具２０（ここではカテーテル）を示しており、例えば四フッ化エチレン樹脂により形成されたチューブ部材２１が処置具挿通チャンネル１５に入口１５ｂから挿入され、チューブ部材２１の先端部分２１ａが、処置具挿通チャンネル１５の出口１５ａから突出している。
【００１３】
チューブ部材２１内には、その基端に取り付けられた基端口金２２側から矯正ワイヤ２５が挿通配置されており、矯正ワイヤ２５の基端に固着された取り付け口金２６が、基端口金２２の係合口金２４に着脱自在に係合している。
【００１４】
したがって、取り付け口金２６を係合口金２４から取り外すことによって、矯正ワイヤ２５をチューブ部材２１内から抜き出し、矯正ワイヤ２５の交換や入れ直し等をすることができる。
【００１５】
矯正ワイヤ２５の基端に取り付けられた基端口金２２には、図示されていない注射筒等を接続可能な接続口金２３が側面に突設されており、接続口金２３に注射筒等を接続することにより、薬液等をチューブ部材２１の先端から送り出すことができる。
【００１６】
矯正ワイヤ２５はチューブ部材２１内に緩く挿通された状態になっており、その隙間を薬液等が通過することができるので、矯正ワイヤ２５を抜き去ることなく薬液等をチューブ部材２１に通すことができる。ただし、通液時にはチューブ部材２１から矯正ワイヤ２５を抜去するようにしてもよい。
【００１７】
矯正ワイヤ２５の先端２５ａはチューブ部材２１の先端の近傍に達しており、チューブ部材２１の先端部分２１ａが処置具挿通チャンネル１５の出口１５ａから突出すると、それと共に矯正ワイヤ２５の先端２５ａも出口１５ａから突出する。
【００１８】
なお、この実施例においては矯正ワイヤ２５の先端２５ａがチューブ部材２１の先端部分２１ａ内に納まっているが、二点鎖線で図示されるように、矯正ワイヤ２５の先端２５ａがチューブ部材２１の先端から突出するようにしても差し支えない。
【００１９】
このように構成された実施例のチューブ型処置具２０を内視鏡１０の処置具挿通チャンネル１５に挿通すると、処置具挿通チャンネル１５の出口１５ａから突出したチューブ部材２１の先端部分２１ａは、その内部に挿通されている矯正ワイヤ２５によって曲がり状態が矯正され、矯正ワイヤ２５の形状に沿って弾性変形した状態になる。
【００２０】
したがって、処置具挿通チャンネル１５に一度通した程度では曲がり癖がつき難い矯正ワイヤ２５を用いることにより、チューブ部材２１の先端部分２１ａを処置具挿通チャンネル１５の出口１５ａから真っ直ぐに突き出して、観察範囲の中央寄りの所望の位置に誘導することができる。
【００２１】
このようなチューブ型処置具２０に用いられる矯正ワイヤ２５の素材は、使用される内視鏡１０の処置具挿通チャンネル１５に存在するカーブの程度で選択することができ、例えばＮｉ−Ｔｉ合金等からなる超弾性合金線を用いれば、どのような場合であっても極めて曲がり癖がつき難い。
【００２２】
処置具挿通チャンネル１５に強いカーブ部分がなければ、矯正ワイヤ２５として例えばステンレス鋼線の撚り線又は単線等を用いることができ、あるいはその他の素材を用いることができる。
【００２３】
図３は、本発明の第２の実施例のチューブ型処置具の先端部分を示しており、チューブ部材２１内に、矯正ワイヤ２５を挿通させるための独立した通路２１ｂを形成したものである。このように構成することにより、矯正ワイヤ２５をチューブ部材２１に挿通したまま薬液等をチューブ部材２１内に通しても矯正ワイヤ２５が薬液等に触れない。
【００２４】
なお、メイン通路２１ｃの断面形状（IV−IV断面）は図４の（Ａ）及び（Ｂ）に例示されているが、矯正ワイヤ２５のための通路２１ｂと分離してどのような形状に形成してもよい。
【００２５】
図５は、本発明の第３の実施例のチューブ型処置具の先端部分を示しており、矯正ワイヤ２５をチューブ部材２１内に埋設したものである。このように構成することにより、構造が非常にシンプルになる。
【００２６】
図６は、本発明の第４の実施例のチューブ型処置具の先端部分を示しており、矯正ワイヤ２５の先寄りの部分に所望の曲がり癖を付けたものである。このように構成することにより、チューブ部材２１の先端を処置具挿通チャンネル１５の出口１５ａから所望の方向に向けて突出させることができる。
【００２７】
この場合、内視鏡１０の湾曲部１２内に位置する部分Ａの矯正ワイヤ２５の断面形状を、図７に例示されるように、湾曲部１２の曲がりの方向によって矯正ワイヤ２５の向きが規制されるような異形形状にしておくとよい。
【００２８】
図８は、本発明の第５の実施例のチューブ型処置具３０の先端部分を示しており、チューブ部材３１内に操作ワイヤ３２が挿通配置された処置具に本発明を適用して、操作ワイヤ３２を超弾性合金線によって形成して矯正ワイヤ２５を兼用するようにしたものである。
【００２９】
この実施例のチューブ型処置具３０は、経内視鏡的にポリープ切除等を行うためのスネアであり、接続管３４を介して操作ワイヤ３２の先端に連結されたスネアワイヤ３３が、チューブ部材３１の外部では自己の弾性によって膨らみ、操作ワイヤ３２によりチューブ部材３１内に引き込まれて窄まるようになっている。
【００３０】
【発明の効果】
本発明によれば、処置具挿通路の出口から突出するチューブ部材の先端近傍部分の曲がり癖を矯正する金属製の矯正ワイヤをチューブ部材内に配置したことにより、チューブ部材の曲がり癖の状態や有無に関係なく、チューブ部材の先端部分を内視鏡の処置具挿通路の出口から常に所定の方向に突出させ、所望の内視鏡的処置を正確かつ容易に行うことができる。
【図面の簡単な説明】
【図１】本発明の第１の実施例の内視鏡用チューブ型処置具が内視鏡の処置具挿通路に挿通された状態の中間部分を省略した断面図である。
【図２】本発明の第１の実施例の内視鏡用チューブ型処置具が内視鏡の処置具挿通路に挿通された状態の外観図である。
【図３】本発明の第２の実施例の内視鏡用チューブ型処置具の先端部分の断面図である。
【図４】本発明の第２の実施例の内視鏡用チューブ型処置具の図３におけるIV−IV断面図である。
【図５】本発明の第３の実施例の内視鏡用チューブ型処置具の先端部分の断面図である。
【図６】本発明の第４の実施例の内視鏡用チューブ型処置具の先端部分の断面図である。
【図７】本発明の第４の実施例の内視鏡用チューブ型処置具の図６におけるVII−VII断面図である。
【図８】本発明の第５の実施例の内視鏡用チューブ型処置具の先端部分の断面図である。
【符号の説明】
１５  処置具挿通チャンネル（処置具挿通路）
１５ａ  出口
２０，３０  チューブ型処置具
２１  チューブ部材
２１ａ  先端部分
２５  矯正ワイヤ
２５ａ  先端
【図１】
0004475721.tif 000002
【図２】
0004475721.tif 000003
【図３】
0004475721.tif 000004
【図４】
0004475721.tif 000005
【図５】
0004475721.tif 000006
【図６】
0004475721.tif 000007
【図７】
0004475721.tif 000008
【図８】
0004475721.tif 000009